(57)【要約】    【構成】  ＣＰＵ１２は、ＤＶＤ／ＣＤ２４ｄに基づく音声コンテンツを再生するとき、ハードディスク１６ｄに蓄積されている複数の映像コンテンツの中から、再生される音楽コンテンツに関連する映像コンテンツを自動的に選択し、選択された関連映像コンテンツを音声コンテンツと一緒に再生する。    【効果】  贔屓のアーティストによる映像コンテンツや好みのジャンルに属する映像コンテンツを中心に様々な映像コンテンツをハードディスク１６ｄに数多く数蓄積しておけば、任意の音声コンテンツを再生する期間、これにふさわしい映像コンテンツを簡単に再生することができる。【選択図】  図１
2005236829.tif 000002
【特許請求の範囲】
【請求項１】
少なくとも映像情報を含む複数の映像コンテンツを蓄積する蓄積手段、
音声情報を含むが映像情報を含まない音声コンテンツを再生する第１再生手段、
前記第１再生手段によって再生される音声コンテンツに関連する映像コンテンツを前記蓄積手段に蓄積されている複数の映像コンテンツの中から選出する選出手段、および
前記第１再生手段による再生が行われる期間前記選出手段によって選出された関連映像コンテンツを再生する第２再生手段を備える、コンテンツ再生装置。
【請求項２】
前記選出手段は前記複数の映像コンテンツおよび前記音声コンテンツの各々に付与された属性情報に基づいて関連映像コンテンツを選出する、請求項１記載のコンテンツ再生装置。
【請求項３】
前記属性情報はジャンル情報を含む、請求項２記載のコンテンツ再生装置。
【請求項４】
前記属性情報はアーティスト情報を含む、請求項２または３記載のコンテンツ再生装置。
【請求項５】
前記蓄積手段に蓄積されている複数の映像コンテンツの中から所望の映像コンテンツを選択する選択操作を受け付ける受付手段をさらに備え、
前記第２再生手段は前記選択操作が受け付けられた場合には前記第１再生手段による再生が行われる期間前記所望の映像コンテンツを再生する、請求項１ないし４のいずれかに記載のコンテンツ再生装置。
【請求項６】
前記選出手段によって選出された関連映像コンテンツの識別子をレジスタに保持する保持手段をさらに備え、
前記第２再生手段は前記レジスタに複数の識別子が保持されているとき前記複数の識別子にそれぞれ対応する複数の映像コンテンツを循環的に再生する、請求項１ないし５のいずれかに記載のコンテンツ再生装置。
【請求項７】
前記保持手段は前記選択操作が受け付けられた場合には前記所望の映像コンテンツの識別子を前記レジスタに保持する、請求項６記載のコンテンツ再生装置。
【発明の詳細な説明】
【技術分野】
【０００１】
この発明は、コンテンツ再生装置に関し、特にたとえば、音声のみを含むコンテンツを再生するとき別のコンテンツに含まれる映像を一緒に再生する、コンテンツ再生装置に関する。
【背景技術】
【０００２】
従来この種のコンテンツ再生装置の一例が、特許文献１に開示されている。この従来技術は、衛星ＴＶ放送受信機と地上波ＴＶ放送受信機とを備えており、衛星ＴＶ放送受信機で独立音声を受信するとき、地上波ＴＶ放送受信機で所望番組も受信して、独立音声と一緒に地上波ＴＶ番組の映像を再生するというものである。これにより、衛星ＴＶ放送に基づく独立音声が出力されている期間、放送中の地上波ＴＶ番組の中で独立音声に最もふさわしい番組を受信し、受信された番組の映像をバックグラウンドビデオとして表示することが可能となる。
【特許文献１】特開平５−２１１６５２号公報〔Ｈ０４Ｎ ７／２０，Ｈ０４Ｈ １／００，Ｈ０４Ｎ ５／４６〕
【発明の開示】
【発明が解決しようとする課題】
【０００３】
しかし、従来技術では、映像は現時点で放送中の番組のいずれか１つから取得されるので、時間帯や各局の放送スケジュールによっては音声にふさわしい映像が得られず、却って臨場感を欠く結果を招いたり、快適性が損なわれたりする恐れがある。また、音声に最もふさわしい映像を常に得ようとすれば、音声が変化したりＴＶ番組が終了したりする度に音声とＴＶ番組との比較を行い、比較結果に従って頻繁にチャネルを切り換えなければならないので、ユーザへの負担が大きい。
【０００４】
それゆえに、この発明の主たる目的は、任意の音声コンテンツを再生する期間これにふさわしい映像コンテンツを簡単に再生することができる、コンテンツ再生装置を提供することである。
【課題を解決するための手段】
【０００５】
請求項１の発明は、少なくとも映像情報を含む複数の映像コンテンツを蓄積する蓄積手段、音声情報を含むが映像情報を含まない音声コンテンツを再生する第１再生手段、第１再生手段によって再生される音声コンテンツに関連する映像コンテンツを蓄積手段に蓄積されている複数の映像コンテンツの中から選出する選出手段、および第１再生手段による再生が行われる期間選出手段によって選出された関連映像コンテンツを再生する第２再生手段を備える、コンテンツ再生装置である。
【０００６】
請求項１の発明では、複数の映像コンテンツが蓄積手段に蓄積される。第１再生手段は音声コンテンツを再生する。選出手段は、第１再生手段によって再生される音声コンテンツに関連する映像コンテンツを蓄積手段に蓄積されている複数の映像コンテンツの中から選出する。第２再生手段は、第１再生手段による再生が行われる期間、選出手段によって選出された関連映像コンテンツを再生する。
【０００７】
すなわち、複数の映像コンテンツを蓄積しておき、音声コンテンツを再生するとき、蓄積されている複数の映像コンテンツの中から関連映像コンテンツを自動的に選択して、選択された関連映像コンテンツを音声コンテンツと一緒に再生する。
【０００８】
請求項２の発明は、請求項１記載のコンテンツ再生装置において、選出手段は複数の映像コンテンツおよび音声コンテンツの各々に付与された属性情報に基づいて関連映像コンテンツを選出する。
【０００９】
請求項３は、請求項２記載のコンテンツ再生装置において、属性情報はジャンル情報を含む。
【００１０】
請求項４の発明は、請求項２または３記載のコンテンツ再生装置において、属性情報はアーティスト情報を含む。
【００１１】
請求項２〜４の発明によれば、音声コンテンツを再生するとき、これと共通の属性を有する映像コンテンツ例えば同一ジャンルに属する映像コンテンツや同じアーティストによる映像コンテンツが一緒に再生されるので、臨場感が高まる。
【００１２】
請求項５の発明は、請求項１ないし４のいずれかに記載のコンテンツ再生装置において、蓄積手段に蓄積されている複数の映像コンテンツの中から所望の映像コンテンツを選択する選択操作を受け付ける受付手段をさらに備え、第２再生手段は選択操作が受け付けられた場合には第１再生手段による再生が行われる期間所望の映像コンテンツを再生する。
【００１３】
請求項５の発明では、蓄積手段に蓄積されている複数の映像コンテンツの中から所望の映像コンテンツを選択する選択操作が行われた場合、受付手段がこの選択操作を受け付ける。選択操作が受け付けられると、第１再生手段による再生が行われる期間、選択された所望の映像コンテンツが再生される。
【００１４】
つまり、ユーザが手動で所望の映像コンテンツを選択した場合、関連コンテンツの自動選出処理はキャンセルされ、手動選択による所望の映像コンテンツが再生されるので、アーティストやジャンルといった属性とは無関係に、音楽コンテンツと一緒に再生する映像コンテンツを選択することができる。その結果、音楽と映像との多彩な組み合わせを楽しむことが可能となる。
【００１５】
請求項６の発明は、請求項１ないし５のいずれかに記載のコンテンツ再生装置において、選出手段によって選出された関連映像コンテンツの識別子をレジスタに保持する保持手段をさらに備え、第２再生手段はレジスタに複数の識別子が保持されているとき複数の識別子にそれぞれ対応する複数の映像コンテンツを循環的に再生する。
【００１６】
請求項６の発明では、関連映像コンテンツが選出されると、選出された関連映像コンテンツの識別子がレジスタに保持される。このため、複数の関連映像コンテンツが選出されると、レジスタには複数の識別子が保持され、音声コンテンツを再生するとき、保持されている複数の識別子にそれぞれ対応する複数の関連映像コンテンツが循環的に再生される。
【００１７】
請求項７の発明は、請求項６記載のコンテンツ再生装置において、保持手段は選択操作が受け付けられた場合には前記所望の映像コンテンツの識別子をレジスタに保持する。
【００１８】
請求項７の発明では、選択操作が受け付けられた場合には、選択された所望の映像コンテンツの識別子がレジスタに保持される。このため、所望映像コンテンツが複数個選択されると、レジスタにはこれと同数の識別子が保持され、音声コンテンツを再生するとき、保持されている複数の識別子にそれぞれ対応する複数の所望映像コンテンツが循環的に再生される。
【００１９】
請求項６および７の発明によれば、１つの音声コンテンツが再生されている期間に複数の映像コンテンツを循環的に再生することができるので、静止画をスライドショー形式で表示したり複数の短編動画を組み合わせたりといった多様な映像再生が可能となる。
【発明の効果】
【００２０】
この発明によれば、複数の映像コンテンツを蓄積しておき、音声コンテンツを再生するとき、蓄積映像コンテンツの中から再生音声コンテンツに関連する映像コンテンツを自動的に選択して、選択された関連映像コンテンツを音声コンテンツと一緒に再生するので、贔屓のアーティストによる映像コンテンツや好みのジャンルに属する映像コンテンツを中心に様々な映像コンテンツを数多く蓄積しておくことにより、任意の音声コンテンツを再生する期間これにふさわしい映像コンテンツを簡単に再生することができる。
【００２１】
この発明の上述の目的，その他の目的，特徴および利点は、図面を参照して行う以下の実施例の詳細な説明から一層明らかとなろう。
【発明を実施するための最良の形態】
【００２２】
図１を参照して、この発明の一実施例であるテレビジョン受像機１０は、ハードディスク（ＨＤ）ドライブ１６およびＤＶＤ／ＣＤドライブ２４を備えている。ＤＶＤ／ＣＤドライブ２４には、所望のＤＶＤまたは所望のＣＤ（以下“ＤＶＤ／ＣＤ２４ｄ”）がセットされる。ＤＶＤ／ＣＤドライブ２４は、ＣＰＵ１２から再生命令を受けると、セットされたＤＶＤ／ＣＤ２４ｄに記録されている信号を読み取り、読み取られた信号から映像データおよび／または音声データを再生する。
【００２３】
ＨＤドライブ１６へは、ＤＶＤ／ＣＤドライブ２４によって再生された映像データおよび／または音声データや、図示しない受信機によって受信された放送信号に基づく映像データおよび／または音声データなどが入力される。ＨＤドライブ１６は、ＣＰＵ１２から記録命令を受けると、入力される映像データおよび／または音声データを含んだファイルを生成し、生成されたファイルをハードディスク１６ｄに記録する。
【００２４】
ＨＤドライブ１６はまた、ＣＰＵ１２から所望コンテンツの再生命令を受けると、ハードディスク１６ｄから該当ファイルを読み出し、読み出されたファイルから映像データおよび／または音声データを再生する。
【００２５】
映像処理回路１８へは、ＨＤドライブ１６およびＤＶＤ／ＣＤドライブ２４のどちらか一方によって再生された映像データがスイッチＳＷ１を介して与えられる。映像処理回路１８は、与えられた映像データに復号化等の処理を施す。これによって、映像データは映像信号に変換される。こうして変換された映像信号がビデオデコーダ２０に与えられ、ビデオデコーダ２０は、与えられた映像信号をコンポジットの映像信号に変換し、変換されたコンポジット映像信号をテレビモニタ２２に入力する。これにより、テレビモニタ２２に所望コンテンツの映像が表示される。
【００２６】
音声処理回路２６へは、ＨＤドライブ１６およびＤＶＤ／ＣＤドライブ２４のどちらか一方によって再生された音声データがスイッチＳＷ２を介して与えられる。音声処理回路２６は、与えられた音声データにＤ／Ａ変換等の処理を施す。これによって、音声データは音声信号に変換される。こうして変換された音声信号がアンプ２８に与えられ、アンプ２８は、与えられた音声信号を増幅し、増幅された音声信号をスピーカ３０に入力する。これにより、スピーカ３０から所望コンテンツの音声が出力される。
【００２７】
ＣＰＵ１２は、図示しない操作パネル，リモコンなどを介して行われるユーザのキー入力操作に応じ、ＨＤドライブ１６およびＤＶＤ／ＣＤドライブ２４の制御，スイッチＳＷ１およびＳＷ２の切り換えなどを行う。
【００２８】
以上のように構成されたテレビジョン受像機１０の全体動作について、以下、具体的に説明する。テレビジョン受像機１０が起動されると、図示しない受信機により受信された放送信号に基づく映像データおよび音声データがＨＤドライブ１６に与えられる。ＨＤドライブ１６は、与えられた映像データおよび音声データをハードディスク１６ｄ上のテンポラリファイルに一時記憶した後、端子Ｔ１およびＴ３に出力する。このとき、スイッチＳＷ１は端子Ｔ１側に、スイッチＳＷ２は端子Ｔ３側にセットされており、このため、映像処理回路１８にはＨＤドライブ１６から出力された映像データが、音声処理回路２６にはＨＤドライブ１６から出力された音声データが、それぞれ与えられる。
【００２９】
映像処理回路１８は、与えられた映像データを映像信号に変換し、ビデオデコーダ２０は、変換された映像信号をコンポジット映像信号に変換する。音声処理回路２６は、与えられた音声データを音声信号に変換し、アンプ２８は、変換された音声信号を増幅する。そして、変換されたコンポジット映像信号および増幅された音声信号がテレビモニタ２２およびスピーカ３０に入力され、これにより、テレビモニタ２２の画面に現在受信中の放送コンテンツの映像が表示され、スピーカ３０から同じ放送コンテンツの音声が出力される。
【００３０】
このとき図示しない記録キーが押されると、ＣＰＵ１２から放送コンテンツ記録命令が発行される。この命令に応じ、ＨＤドライブ１６は、放送コンテンツつまり受信機により受信された放送信号に基づく映像データおよび音声データを含んだファイルをハードディス１６ｄに記録する。
【００３１】
こうして放送コンテンツを記録し終えた後、今度は、ＤＶＤ／ＣＤドライブ２４に映像情報および音声情報を含む信号が記録されたＤＶＤ／ＣＤ２４ｄ例えばＤＶＤビデオやビデオＣＤがセットされ、図示しない再生キーが押されたとする。すると、ＣＰＵ１２からＤＶＤ／ＣＤ再生命令が発行され、この命令に応じてＤＶＤ／ＣＤドライブ２４は、ＤＶＤ／ＣＤ２４ｄに記録された信号を読み取り、読み取られた信号から映像データおよび音声データを再生し、再生された映像データおよび音声データを端子Ｔ２および端子Ｔ４に出力する。
【００３２】
ＤＶＤ／ＣＤ２４ｄから読み取られた信号はＣＰＵ１２にも与えられ、ＣＰＵ１２は、与えられた信号の種類すなわち映像情報だけを含む信号か音声情報だけを含む信号か両方の情報を含む信号かを判別する。そして、判別結果に応じ、スイッチＳＷ１およびＳＷ２の切り換えを行う。ここでは、信号が映像情報および音声情報を含むので、スイッチＳＷ１を端子Ｔ２側に、スイッチＳＷ２を端子Ｔ４側にセットする。このため、映像処理回路１８にはＤＶＤ／ＣＤドライブ２４から出力された映像データが、音声処理回路２６にはＤＶＤ／ＣＤドライブ２４から出力された音声データが与えられ、これにより、テレビモニタ２２の画面にＤＶＤ／ＣＤコンテンツの映像が表示され、スピーカ３０から同じＤＶＤ／ＣＤコンテンツの音声が出力される。
【００３３】
このとき図示しない記録キーが押されると、ＣＰＵ１２からＤＶＤ／ＣＤコンテンツ記録命令が発行される。この命令に応じ、ＨＤドライブ１６は、ＤＶＤ／ＣＤコンテンツつまりＤＶＤ／ＣＤドライブ２４により再生された映像データおよび音声データを含んだコンテンツをハードディス１６ｄに記録する。
【００３４】
上記のような放送コンテンツ記録処理およびＤＶＤ／ＣＤコンテンツ記録処理が繰り返し行われ、その結果、いまＨＤドライブ１６には、複数のファイルが蓄積されている。これら複数のファイルの各々は、映像データおよび／または音声データを含む。映像データには、動画データおよび静止画データの２種類がある。
【００３５】
このとき、ＤＶＤ／ＣＤドライブ２４に音声情報だけを含む信号が記録されたＤＶＤ／ＣＤ２４ｄ例えばＣＤ−ＤＡやＤＶＤオーディオがセットされ、続いて図示しない再生キーが押されたとする。すると、ＣＰＵ１２からＤＶＤ／ＣＤ再生命令が発行され、応じてＤＶＤ／ＣＤドライブ２４は、ＤＶＤ／ＣＤ２４ｄに記録された信号を読み取り、読み取られた信号から音声データを再生し、再生された音声データを端子Ｔ４に出力する。
【００３６】
ＤＶＤ／ＣＤ２４ｄから読み取られた信号はＣＰＵ１２にも与えられ、ＣＰＵ１２は、与えられた信号の種類を判別する。ここでは音声情報のみを含んだ信号であると判別されるので、スイッチＳＷ１を端子Ｔ１側に、スイッチＳＷ２を端子Ｔ４側にセットする。
【００３７】
次いでＣＰＵ１２は、与えられた信号に含まれているＴＯＣ（Table of Contents）からタイトル情報を検出する。図２を参照して、タイトル情報は、タイトル名，アーティスト名，ジャンル名などを含む。
【００３８】
一方でＣＰＵ１２は、ＨＤドライブ１６がハードディスク１６ｄに映像データおよび音声データの両方もしくは映像データだけを含むコンテンツ（以下“映像コンテンツ”）を記録する度に、記録コンテンツに識別子およびキーワードを付与する処理を実行しており、こうして付与された識別子および属性情報を登録した管理テーブルがフラッシュメモリ１４内に保持されている。図３を参照して、管理テーブルには、ハードディスク１６ｄに蓄積されたｎ個（ｎは１以上の任意の整数）のコンテンツの各々について、識別子に相当するコンテンツ番号と、属性情報に相当するキーワードとが登録されている。キーワードは、タイトル名，アーティスト名，ジャンル名などを含む。
【００３９】
次いでＣＰＵ１２は、ＴＯＣから検出されたタイトル情報と管理テーブルに登録されたキーワードとの比較を行い、これによってハードディスク１６ｄに蓄積されたｎ個の映像コンテンツの中から、現在再生中のＤＶＤ／ＣＤコンテンツに関連する映像コンテンツを特定する。そして、特定されたコンテンツの識別子すなわちコンテンツ番号をレジスタ１２ｒに登録する。関連映像コンテンツが複数見つかった場合には、対応する複数のコンテンツ番号が任意の順序でレジスタ１２ｒに登録される。
【００４０】
図４を参照して、関連映像コンテンツがＮｍａｘ個（Ｎｍａｘは１以上ｎ以下の任意の整数）見つかった場合、レジスタ１２ｒには、レジスタ番号１〜Ｎｍａｘがそれぞれ付されたＮｍａｘ個のレジスタ領域が形成され、これらＮｍａｘ個のレジスタ領域の各々にＮｍａｘ個のコンテンツ番号のいずれか１つが登録される。
【００４１】
このようなレジスタ登録が完了すると、ＣＰＵ１２は、まず第１レジスタ領域の登録値“４”に対応するコンテンツの再生をＨＤドライブ１６に命じる。応じてＨＤドライブ１６は、コンテンツ番号“４”で識別されるファイルをハードディスク１６ｄから読み出し、読み出されたファイルから映像データを再生し、再生された映像データを端子Ｔ１に出力する。このコンテンツ再生が終了すると、引き続き第２レジスタ領域の登録値“８”に対応するコンテンツの再生が開始される。以降、図示しない停止キーの押下により音声再生が停止されるまで、レジスタ登録された関連映像コンテンツが順番に再生されていく。第Ｎｍａｘレジスタ領域の登録値に対応するコンテンツの再生が終了すると、再び第１レジスタ領域の登録値に対応するコンテンツから再生が開始される。
【００４２】
この結果、映像処理回路１８にＨＤドライブ１６から出力された映像データが、音声処理回路２６にはＤＶＤ／ＣＤドライブ２４から出力された音声データが、それぞれ与えられる。これにより、スピーカ３０からＤＶＤ／ＣＤ２４ｄに基づく音声が出力され、同時にテレビモニタ２２の画面にハードディスク１６ｄに基づく関連映像が次々と表示されることとなる。
【００４３】
なお、上記のように関連映像を自動で選出するかわりに、ユーザが手動で所望の映像を選択することもできる。具体的には、音声コンテンツのみが記録されたＤＶＤ／ＣＤ２４ｄを再生するとき、まずメニュー画面を表示して“関連映像”および“お気に入り映像”のどちらかをユーザに指定させる。ここで“お気に入り映像”が指定されれば、ハードディスク１６ｄに蓄積されている映像コンテンツの一覧画面を表示して、ユーザに好きな映像コンテンツを選択させ、対応するコンテンツ番号をレジスタ１２ｒに登録する。これにより、ＤＶＤ／ＣＤ２４ｄに基づく音声と一緒に、ハードディスク１６ｄに基づく“お気に入り映像”が次々と表示されることとなる。
【００４４】
以上のような一連の動作のうち、ＤＶＤ／ＣＤ２４ｄの再生を行うモードでＣＰＵ１２は、図５〜図７に示されるフロー図を処理する。なお、これらのフロー図に対応するプログラムは、フラッシュメモリ１４に格納されている。ＣＰＵ１２は、ＤＶＤ／ＣＤドライブ２４に所望のＤＶＤ／ＣＤ２４ｄがセットされ、かつ図示しない再生キーが押下されたときＤＶＤ／ＣＤ再生モードに移行する。
【００４５】
まず図５を参照して、ＤＶＤ／ＣＤ再生モードでＣＰＵ１２は、ＤＶＤ／ＣＤドライブ２４にセットされたＤＶＤ／ＣＤ２４ｄが音声コンテンツのみを含むものかどうかを判別する。この判別結果が否定的であればステップＳ３に移って、スイッチＳＷ１を端子Ｔ２側に、スイッチＳＷ２を端子Ｔ４側にセットする。次のステップＳ５では、コンテンツ再生をＤＶＤ／ＣＤドライブ２４に命令し、その次のステップＳ７では、再生終了の指示がなされたか否かを判定する。指示がなければ待機し、再生終了指示がなされると、モード選択等を行う上位層のルーチン（図示せず）に復帰する。
【００４６】
ステップＳ１の判別結果が肯定的であればステップＳ９に移って、スイッチＳＷ１を端子Ｔ１側に、スイッチＳＷ２を端子Ｔ４側にセットする。次のステップＳ１１では、コンテンツ再生をＤＶＤ／ＣＤドライブ２４に命令し、その次のステップＳ１３では、メニュー表示を行う。このとき表示されるメニュー画面には、“１．関連映像”および“２．お気に入り”の２つの選択項目が含まれる。
【００４７】
そしてステップＳ１５およびＳ１７で、“１．関連映像”および“２．お気に入り”のどちらが選択されたかを判別する。“１．関連映像”が選択されると、ステップＳ１５でＹＥＳと判定され、ステップＳ２１に移って検索処理（後述）を実行する。そしてステップＳ２３に進む。“２．お気に入り”が選択されると、ステップＳ１７でＹＥＳと判定され、ステップＳ１９に移って、ユーザ操作により“お気に入り”に選ばれた映像コンテンツの識別子をレジスタ１２ｒに登録する。そしてステップＳ２３に進む。
【００４８】
なお、上記“お気に入り”映像の手動選出は、例えば次のようにして行われる。すなわちＣＰＵ１２は、メニュー項目“２．お気に入り”が選ばれるのに応じ、フラッシュメモリ１４に格納されている管理テーブル（図３参照）と、この管理テーブル上のいずれかの項目を指向するカーソルとを表示させる。ユーザは、図示しないカーソルキーおよびＯＫキーを操作することにより、所望の映像コンテンツを“お気に入り”に指定する。
【００４９】
ステップＳ２３では、レジスタ１２ｒの登録値（図４参照）に基づく映像再生処理（後述）が実行される。その後、上位層のルーチンに復帰する。
【００５０】
上記ステップＳ２１の検索処理は、図６のサブルーチンに従って実行される。図６を参照して、ＣＰＵ１２は、まずステップＳ３１で、ＤＶＤ／ＣＤ２４ｄに含まれる音声コンテンツのタイトル情報をＴＯＣから検出する。次のステップＳ３３では、フラッシュメモリ１４に保持された管理テーブル（図３参照）に基づいて、ハードディスク１６ｄに蓄積されている映像コンテンツのキーワードを検出する。その次のステップＳ３５では、ステップＳ３１で検出されたタイトル情報とステップＳ３３で検出されたキーワードとの比較を行う。
【００５１】
そしてステップＳ３７で、再生音声の関連映像が発見されたかどうかを判定し、発見されればステップＳ３９に移って、発見された関連映像の識別子をレジスタ１２ｒにランダムに登録する（図４参照）。そして上位層のルーチンに復帰する。関連映像が発見されなければ、ステップＳ４１でレジスタ１２ｒに規定映像の識別子を登録し、その後上位層のルーチンに復帰する。
【００５２】
上記ステップＳ２３の映像再生処理は、図７のサブルーチンに従って実行される。図７を参照して、ＣＰＵ１２は、まずステップＳ５１でＮｍａｘ（図４参照）の値を決定する。次のステップＳ５３では、変数Ｎの値を“１”とする。そしてステップＳ５５で、レジスタ１２ｒのＮ番目の項目の映像コンテンツを再生する。
【００５３】
ステップＳ５７では、再生中の映像コンテンツが静止画かどうかを判別し、静止画であればステップＳ５９に移って、再生開始から所定時間が経過したか否かの判定を行う。この判定の結果が肯定的となると、ステップＳ６３に進む。ステップＳ５７で静止画でないと判定されればステップＳ６１に移り、Ｎ番目の項目に対応する動画再生が終了したか否かの判定を行う。この判定結果が肯定的となると、ステップＳ６３に進む。
【００５４】
ステップＳ６３では、変数Ｎの値がＮｍａｘに等しいか否かを判定し、この判定の結果が否定的であればステップＳ６５で変数Ｎをインクリメントし、その後ステップＳ６９に進む。ステップＳ６３の判定結果が肯定的となると、ステップＳ６７に移って変数Ｎを再び“１”とし、その後ステップＳ６９に進む。
【００５５】
ステップＳ６９では、音声再生が終了したかどうかの判別を行い、終了していなければステップＳ５５に戻る。音声再生が終了すると、上位層のルーチンに復帰する。こうして、ＤＶＤ／ＣＤ２４ｄに基づく音楽コンテンツ再生が行われている期間、ハードディスク１６ｄの蓄積コンテンツの中から再生音楽コンテンツに関連する映像コンテンツもしくは“お気に入り”の映像コンテンツが読み出され、読み出された映像コンテンツの再生が行われる。
【００５６】
以上から明らかなように、この実施例によれば、ＤＶＤ／ＣＤ２４ｄに基づく音声コンテンツを再生するとき、ハードディスク１６ｄに蓄積されている複数の映像コンテンツの中から再生音声コンテンツに関連する映像コンテンツを自動的に選択し、選択された関連映像コンテンツを音声コンテンツと一緒に再生するので、贔屓のアーティストによる映像コンテンツや好みのジャンルに属する映像コンテンツを中心に様々な映像コンテンツを数多くハードディスク１６ｄに蓄積しておくことにより、任意の音声コンテンツを再生する期間これにふさわしい映像コンテンツを簡単に再生することが可能となる。
【００５７】
なお、この実施例では、映像コンテンツを蓄積する媒体としてハードディスク１６ｄを用いたが、これ以外にも、例えばＤＶＤやＣＤ等の光ディスク，半導体メモリなどを用いることができる。
【００５８】
また、この実施例では、ＤＶＤ／ＣＤ２４ｄに基づく音声コンテンツを再生するときにハードディスク１６ｄに基づく関連映像コンテンツを再生したが、ＤＶＤ／ＣＤ２４ｄ以外の媒体例えば図示しない半導体メモリ等に基づく音声コンテンツを再生するときに同様の映像コンテンツ再生処理を行ってもよい。もしＨＤドライブ１６が時分割動作により複数のコンテンツを並列的に読み出せるのであれば、ハードディスク１６ｄに基づく音声コンテンツを再生するときに同じハードディスク１６ｄに基づく関連映像コンテンツを再生することも可能である。
【００５９】
また、図示しない受信機により受信された放送信号や図示しない外部入力端子からの信号に基づく音声コンテンツを再生するときに同様の映像コンテンツ再生処理を行うこともできる。さらには、ハードディスク１６ｄに基づく音声コンテンツを再生するときにＤＶＤ／ＣＤ２４ｄに基づく関連映像コンテンツを再生することも可能である。
【図面の簡単な説明】
【００６０】
【図１】この実施例のテレビジョン受像機の構成を示すブロック図である。
【図２】ＤＶＤ／ＣＤから読み取られた音声信号に含まれるタイトル情報を示す図解図である。
【図３】ハードディスクに蓄積されている映像コンテンツの各々に付された識別子およびキーワードを登録したテーブルを示す図解図である。
【図４】関連映像コンテンツの識別子を登録するレジスタを示す図解図である。
【図５】ＤＶＤ／ＣＤ再生モードにおけるＣＰＵ動作の一部を示すフロー図である。
【図６】ＤＶＤ／ＣＤ再生モードにおけるＣＰＵ動作の他の一部を示すフロー図である。
【図７】ＤＶＤ／ＣＤ再生モードにおけるＣＰＵ動作のその他の一部を示すフロー図である。
【符号の説明】
【００６１】
１０…テレビジョン受像機
１２ｒ…レジスタ
１６ｄ…ハードディスク
２４ｄ…ＤＶＤ／ＣＤ
【図１】
2005236829.tif 000003
【図２】
2005236829.tif 000004
【図３】
2005236829.tif 000005
【図４】
2005236829.tif 000006
【図５】
2005236829.tif 000007
【図６】
2005236829.tif 000008
【図７】
2005236829.tif 000009